(57)【要約】【課題】  保管や持ち運びに便利で、視覚的にも容易に用途が理解でき、かつ、背中のあらゆる形状に対しても、常に適切な角度と強さで容易に掻く事ができる機能性と意匠性に優れた孫の手を提供する。【解決手段】  本体を可能な限り平坦かつ直線に成形することにより保管しやすく、又、窮屈な襟部にも容易に挿入する事が出来る。さらに、屈折が可能な可動部２に、形状記憶機能を有する弾性部材７を取りつけ、屈折角度を持たせることにより、背中の最も深い場所にもツメ部が届くように形成されていることを特徴とする。【選択図】  図１
0003114022.tif 000002
【実用新案登録請求の範囲】
【請求項１】
屈折が可能な角度自動調整機能付きの可動部を有する物であって、屈折する可動部分に、形状記憶機能を有する弾性部材を取り付ける事を特徴とする孫の手。
【請求項２】
前記可動部は、持ち手部の端部を持って衣服の襟内に入れた時、屈折する可動部が肩甲部に来るような位置に取り付けられる事を特徴とする請求項１記載の孫の手。
【請求項３】
前記屈折部は可動部を肩甲部に当てた時にツメ部が肩甲部より下の最も深い場所に届くような角度に取り付けられる事を特徴とする請求項１の孫の手。
【考案の詳細な説明】
【技術分野】
【０００１】  本考案は、背中の掻きたい場所を容易に、なおかつ適切な強さで掻く事が出来るように角度自動調整機能を持たせた孫の手に関する。
【背景技術】
【０００２】  従来、一般に家庭用品として考案されている孫の手は、掻手部分の形状に様々な形、デザインを凝らした製品が生産、使用されている。しかしながら、それらは構造的には単に掻手部分に手の形を施しただけのものである。【０００３】  孫の手における掻手部分の機能は、手の形を成し、その視覚情報から、ヒトに掻いてもらっているという気持ちにさせることである。特に一般に期待されているのが、手の形の指にあたる部分を湾曲させ、背中の痒い部分を掻きやすくする事であるが、これは固定された湾曲部分の深さが、掻きたい場所に届いた場合にのみ有効に働く機能であり、湾曲部分が、その深さや角度を、積極的に調整する機能を有する訳ではない。又、襟部の狭い衣服を着用している場合の使用として用いられる技術としては、孫の手本体の柄部全体に柔軟性機能を有する湾曲部を設けるという技術であるが、持ち運びに不便であり、収納時には従来以上の場所を要する為、実用性に欠けている。【０００４】  なお、本願考案に関連する公知技術として次の特許文献１及び特許文献２を挙げる事が出来る。【０００５】
【特許文献１】  特許公開平１０−９４５７２
【特許文献２】  特許公開平８−５７００９
【考案の開示】
【考案が解決しようとする課題】
【０００６】  上記の如く、従来の考案に係る孫の手は、その掻手部分に有する湾曲した部分が、背中の掻きたい個所に届いた場合にのみ有効に働く機能であり、湾曲及び屈折部分が、湾曲の深さもしくは屈折の角度を積極的に調整する機能を有する訳ではない。よって、この孫の手で肩甲部より下の窪んだ部分を掻こうとしても、十分な効果は得られない。特に襟部の狭い衣服を着用している場合には、剄部と肩甲部の２点により、孫の手の進入角度が限定され、肩甲部より下の窪んだ部分を掻くことは難しい。【０００７】  このため、背中のあらゆる凹凸に対しても掻手ツメ部が届くようにするために、孫の手本体の柄部全体に柔軟性を有する湾曲を設けると、カバンに入れる場合や、事務机や筆立て等に収納する場合に場所を要してしまう。又、一般に認知されている孫の手の形状とは大きくかけ離れる為、実用性に欠けているのが現状である。【０００８】  本考案は、このような点に鑑みて成されたものであり、その目的は、孫の手本体を可能な限り直線に成形する事により保管に優れ、視覚的にも容易にその用途が理解できる形状を持つ。そして本体の一部に屈折が可能な角度自動調整機能付きの可動部を設けることにより、適切な角度と強さで掻くことができる孫の手を提供する事である。
【課題を解決するための手段】
【０００９】  上述の目的を達成する本考案の孫の手は、屈折が可能な角度自動調整機能付きの可動部を有する物であって、屈折する可動部分に形状記憶機能を有する弾性部材を取り付ける事を特徴とする。【００１０】  一例として、前記可動部は、持ち手部の端部を持って衣服の襟内に入れた時、可動部が肩甲部に来るような位置に取り付けられる。好適には、前記屈折部は可動部を肩甲部に当てた時にツメ部が肩甲部より下の最も深い場所に届くような角度に取り付けられる。
【考案の効果】
【００１１】  以上説明したように本考案によれば、孫の手の一部に形状記憶機能を有する弾性部材を取り付けた可動部を設ける事により、背中のいかなる形状に対しても、掻手部の適切な角度ならびに掻く強さが適当になるように自動調整できる機能を持たせることが可能となる。さらに、屈折部を設ける事によりツメ部の突起を最小限に抑えることを可能とし、本体全体を極めて平坦に成形する事ができる。例えば子の孫の手を、ネクタイ等の窮屈な衣服の着用時においても、ネクタイや襟部を緩めることなく容易に挿入でき、さらには、無理な力を加えたり、体勢を変えることなく、適切に使用する事が可能となる。また、孫の手本体の柄部を直線に成形することにより、カバンや筆立て及び、その他直線で成形されている家庭用品や、事務用品と共に保管するのに有効である。
【考案を実施するための最良の形態】
【００１２】  以下、本考案の実施の形態を図面に基づき詳細に説明する。【００１３】  図１〜図４は本考案の実施の形態に係り、図１はその外観斜視図、図２はその側面図、図３はその平面図、図４はその関節部分の断面図である。【００１４】  図１、図２及び図３に示すように、本孫の手１は、屈折が可能な可動部２に形状記憶機能を有する弾性部材７を取り付け、任意の角度を維持できる機能を持たせたものである。【００１５】  屈折が可能な可動部２は、持ち手部５の端部を握り、背中に当てた時に、肩甲部に来るような位置に取り付けている。又、屈折する角度は、屈折する可動部２を肩甲部に当てた時に、ツメ部６が肩甲部より下の凹んだ部分に届くようにする。【００１６】  図４は本考案の屈折が可能な可動部２に係る弾性部材の縦断面図である。屈折が可能な可動部２には任意の角度を維持する為に、形状記憶機能を有する弾性部材７を取り付けている。この弾性部材７は、好適には衣服の襟部内に挿入する際、持ち手がある柄部に対し、容易に水平になり、なおかつ、衣服内では所定の角度に戻るような部材が用いられる。【００１７】  屈折部には可動部２が設けられている。可動部２は図４に示すように、一例として、柔軟性及び可動性を有する合成樹脂等で、掻手部４と、持ち手部５を結合する。【００１８】  ヒトの背中の形状で、肩甲部より下部が凹んでいない場合が無いとは言えない。その場合でも形状記憶機能を有する弾性部材７は、ヒトの皮膚を傷つけない程度の弾力性を有する。【００１９】  持ち手部５の端部には、本孫の手１を壁等に引っ掛ける事ができるように、壁掛け穴３が設けられる。【００２０】  この孫の手１の基本的な構造体の素材は、再生及び加工が比較的容易で、デザイン性豊かな合成樹脂が望ましい。【００２１】  以上、考案の実施の形態及び実施例を説明したが、本考案の範囲はこれに限定されるものではない。例えば、屈折が可能な可動部の取り付け位置、その角度、弾性部材の弾力性能、ツメ部の屈折の角度ならびに深さは、状況に応じて適宣選択されるものである。【００２２】  また、屈折が可能な可動部２の結合は、柔軟性及び可動性を有する合成樹脂等で、掻手部４と、持ち手部５との結合だけに限らず、例えば、凹凸する部材をそれぞれ組み合わし、関節部を設けることも可能である。【００２３】  また、持ち手部５の任意の個所に、ツメ部に向かって１８０度折りたたむ事が可能な可動部を設け、さらに携帯性を持たせることも可能である。【００２４】  また、持ち手部に目盛を刻み、定規として使用する事も可能である。【００２５】  さらに、実施例では基本的な構造体の素材は、合成樹脂で説明しているが、構造体の材質は合成樹脂に限られるものではなく、その他、例えば、木材、竹、ゴム質等、構造体として適当な任意の材質のものが利用でき、形状、大きさも任意に選択する事ができる。また、用途も衣服内での背面部の使用を目的とをするものに限らず、主として身体の痒い所全般を掻く目的として広く用いることが可能である。
【産業上の利用可能性】
【００２６】  本考案は一般家庭での家庭用品ならびに、介護用品として製造・販売する産業分野で利用することができる。
【図面の簡単な説明】
【００２７】
【図１】  本考案の実施の形態に係る孫の手の外観斜視図である。
【図２】  図１の孫の手の側面図である。
【図３】  図１の孫の手の平面図である。
【図４】  図１の孫の手の屈折が可能な可動部の縦断面図である。
【符号の説明】
【００２８】１          孫の手
２          屈折が可能な可動部
３          壁掛け穴
４          掻手部
５          持ち手部
６          ツメ部
７          形状記憶機能を有する弾性部材
【図１】
0003114022.tif 000003
【図２】
0003114022.tif 000004
【図３】
0003114022.tif 000005
【図４】
0003114022.tif 000006